(57)【要約】【課題】表示ユニットがストッパーによって定められた回転角度で開いた状態からさらに開方向に荷重が付加されたとき、ストッパーやヒンジ装置の取り付け部に付加される荷重を緩和する支持構成を提供する。【解決手段】撮像装置は、カメラボディ１１と、カメラボディ背面の外装部材２０と、外装部材２０に取り付けられるヒンジ装置４０とヒンジ装置４０を介して外装部材２０下側縁部を回転軸として上下開閉方向に回動可能に支持される表示ユニット３０とを有し、外装部材２０に具備されたリブ２０ａはカメラボディ底面より上側、かつ外装部材２０の表示ユニット３０に対向している面より外側、かつ第一の状態にある表示ユニット３０の外装部材下面３２ａより下側に囲まれた空間に配置され、表示ユニット３０が第二の状態にあるときにさらに開方向に荷重が付加されると、表示ユニット３０の外装部材下面３２ａと当接することを特徴とする。【選択図】図１
2014215342.tif 000002
【特許請求の範囲】
【請求項１】
撮像装置本体（１１）と、
前記撮像装置本体背面の外装部材（２０）と
前記外装部材（２０）に取り付けられるヒンジ装置（４０）と
前記ヒンジ装置（４０）を介して前記外装部材下側縁部を回転軸として上下開閉方向に回動可能に支持される表示ユニット（３０）と
を有した撮像装置（１０）において、
前記表示ユニット（３０）は、表示画面を前記撮像装置後方に向けて配設された第一の状態と、ヒンジ装置（４０）に配設されたストッパー（４３ａ，４３ｂ）が定める回転角度まで回動した第二の状態をもち、
前記外装部材（２０）に具備されたリブ（２０ａ）は、前記撮像装置本体底面より上側、かつ前記外装部材（２０）の前記表示ユニット（３０）に対向している面より外側、かつ第一の状態にある前記表示ユニットの外装部材下面（３２ａ）より下側に囲まれた空間に配置され、前記表示ユニット（３０）が第二の状態である時には、前記表示ユニットの外装部材（３２）とは当接せず、表示ユニット（３０）に対して前記回転角度を超えてさらに開く方向に荷重が付加されることにより前記表示ユニットの外装部材（３２）と当接することを特徴とする撮像装置。
【請求項２】
前記ヒンジ装置（４０）は、前記表示ユニット（３０）の背面に位置する金属プレート（４４）を有し、前記金属プレート（４４）は、前記表示ユニットの外装部材（３２）と締結され、前記表示ユニットの外装部材（３２）と前記リブ（２０ａ）とが当接する箇所において前記表示ユニットの外装部材下面（３２ａ）と内接するように曲げ加工が施されていることを特徴とする請求項１に記載の撮像装置。
【請求項３】
前記ヒンジ装置（４０）は、前記外装部材（２０）との間に弾性体（５１、５２）を挟んで前記外装部材（２０）にビス（６１、６２）で締結されることを特徴とする請求項１又は請求項２に記載の撮像装置。
【請求項４】
前記表示ユニットの外装部材下面（３２ａ）は、前記表示ユニット（３０）が第一の状態から第二の状態まで回動するとき、前記撮像装置本体（１１）の底面よりも常に上側を回動することを特徴とする請求項１乃至請求項３の何れか１項に記載の撮像装置。
【発明の詳細な説明】
【技術分野】
【０００１】
本発明は、表示ユニットを有する撮像装置に関し、特に回動可能な表示ユニットを有する撮像装置に関するものである。
【背景技術】
【０００２】
従来デジタルカメラ等の撮像装置において液晶等の表示部を有する表示ユニットを、ヒンジ装置を介して撮像装置本体に対して上下方向に開閉可能に支持し、様々な角度での画像の確認を可能にしたものがある（特許文献１）。このような表示ユニットを有した撮像装置において、表示ユニットの開閉角度をヒンジ装置内に設けられたストッパーによって定めるものがある（特許文献２）。
【先行技術文献】
【特許文献】
【０００３】
【特許文献１】特開２００１−９４８４５号公報
【特許文献２】特開２００１−２７２７１９号公報
【発明の概要】
【発明が解決しようとする課題】
【０００４】
しかしながら、上述の特許文献１および特許文献２に開示された従来技術では、表示ユニットがストッパーによって定められた回転角度で開いた状態から、さらに開方向に荷重が付加されると、回転角度を定めるストッパーやヒンジ装置の取り付け部に付加が集中し塑性変形を起こす可能性があった。その結果、表示ユニットがストッパーによって定められた回転角度に開いた状態でがたつきが大きくなることや、表示ユニットを閉じきることができない、また、閉じた状態でもがたつきが発生してしまうなどの問題が発生する可能性があった。
【０００５】
そこで、本発明の目的は、表示ユニットはストッパーによって定められた回転角度に開いた状態からさらに開方向に荷重が付加されたとき、ストッパーやヒンジ装置の取り付け部に付加される荷重を緩和する支持構成を提供することである。
【課題を解決するための手段】
【０００６】
上記目的を達成するために、本発明の撮像装置は、
撮像装置本体と、
前記撮像装置本体背面の外装部材と
前記外装部材に取り付けられるヒンジ装置と
前記ヒンジ装置を介して前記外装部材下側縁部を回転軸として上下開閉方向に回動可能に支持される表示ユニットと
を有した撮像装置において、
前記外装部材は、リブを有しており、
前記ヒンジ装置は、前記外装部材との間に弾性部材を挟んで前記外装部材にビスで締結され、
前記表示ユニットは、表示画面を前記撮像装置後方に向けて配設された第一の状態と、ヒンジ装置に配設されたストッパーが定める回転角度まで回動した第二の状態をもち、
前記リブは、前記撮像装置本体底面より上側、かつ前記外装部材の前記表示ユニットに対向している面より外側、かつ第一の状態にある前記表示ユニットの外装部材下面より下側に囲まれた空間に配置され、前記表示ユニットが第二の状態である時には、前記表示ユニットの外装部材とは当接せず、表示ユニットに対して前記回転角度を超えてさらに開く方向に荷重が付加されることにより前記表示ユニットの外装部材と当接することを特徴とする。
【発明の効果】
【０００７】
本発明によれば、表示ユニットがストッパーによって定められた回転角度で開いた状態からさらに開方向に荷重が付加されたとき、ストッパーやヒンジ装置の取り付け部に付加される荷重を緩和することができる。
【図面の簡単な説明】
【０００８】
【図１】カメラボディの背面外装部材と第二の状態の表示ユニットおよび表示ユニットの支持構成部を抽出したもので、（ａ）は背面図、（ｂ）は（ａ）のＢ−Ｂ線の断面図である。
【図２】本発明の撮像装置の実施形態の一例であるカメラを前面側から見た斜視図である。
【図３】表示ユニットが第一の状態にあるときのカメラボディを背面側から見た斜視図である。
【図４】表示ユニットが第二の状態にあるときのカメラボディを背面側から見た斜視図である。
【図５】表示ユニットが第三の状態にあるときのカメラボディを背面側から見た斜視図である。
【図６】表示ユニットの支持構成を示した斜視図である。
【図７】ヒンジ装置の分解斜視図である。
【図８】カメラボディの背面外装部材と第一の状態の表示ユニットおよび表示ユニットの支持構成部を抽出したもので、（ａ）は背面図、（ｂ）は（ａ）のＡ−Ａ線の断面図である。
【図９】カメラボディの背面外装部材と第二の状態の表示ユニットおよび表示ユニットの支持構成部を抽出したもので、（ａ）は背面図、（ｂ）は（ａ）のＣ−Ｃ線の断面図である。
【図１０】カメラボディの背面外装部材と第三の状態の表示ユニットおよび表示ユニットの支持構成を抽出したもので、（ａ）は背面図、（ｂ）は（ａ）のＤ−Ｄ線の断面図である。
【発明を実施するための形態】
【０００９】
以下に、本発明の好ましい実施の形態を、添付の図面に基づいて詳細に説明する。
【００１０】
図２と図３は本発明の実施形態に関わる撮像装置としてのカメラの外観構成を示すもので、図２は前方からの斜視図、図３は後方からの斜視図である。
【００１１】
図２において、このカメラ１０はカメラボディ１１と該カメラボディ１１の前面部に装着された撮影レンズ１２とを有している。上記カメラボディ１１の上面部には、カメラ１０のシャッターを切るためのレリーズボタン１３と、各種撮影モードを設定するためのモードダイヤル１４と各種撮影モードにおいて、絞り値やシャッタースピードを変更する電子ダイヤル１５及び電源スイッチ１６とが設けられている。
【００１２】
図３において、カメラボディ１１の背面外装部材２０には、映像を表示する液晶ディスプレイ等の映像表示部３１を備える表示ユニット３０が、映像表示部３１が外方に臨んだ状態でカメラボディ１１の背面外装部材２０に設けられている。
【００１３】
カメラボディ１１の背面外装部材２０に設けられた表示ユニット３０の周辺には操作部材が設けられており、この操作部材には、たとえば、映像表示部３１にメニュー画面を表示させるメニューボタン２１、画像の情報を表示させるINFO.ボタン２２、ライビュー撮影への切り替えを行うライブビューボタン２３、記録メディアに保存された画像を再生する再生ボタン２４、保存されている画像等を消去する消去ボタン２５、メニュー画面を操作する際にカーソルを移動させる十字キー２６、操作の決定を行う決定ボタン２７等が設けられている。
【００１４】
図４は、映像表示部３１が下方に向いた状態でのカメラボディ１１の後方からの斜視図であり、図５は、映像表示部３１が上方に向いた状態でのカメラボディ１１の後方からの斜視図である。表示ユニット３０は、カメラボディ１１に対して上下開閉方向に回動可能に支持されており、映像表示部３１が外方に臨んだ状態にある第一の状態（図３）とカメラボディ１１の背面外装部材２０の下側縁部を回転中心として表示ユニット３０の上部が開方向に回転した第二の状態（図４）と第二の状態からさらに表示ユニット３０の映像表示部３１が上方に向くように回転した第三の状態（図５）をもつ。
【００１５】
撮影者は撮影条件によって表示ユニット３０の状態を選択することが可能である。通常のファインダー撮影と通常のライブビュー撮影の際には第一の状態、ライブビュー撮影におけるハイアングル撮影の際には第二の状態、ライブビュー撮影におけるローアングル撮影の際には第三の状態といったように撮影者が見やすい角度位置に表示ユニット３０を向けて撮影することが可能となっている。
【００１６】
図６は表示ユニット３０のカメラボディ１１の背面外装部材２０に対する支持構成を示している。表示ユニット３０は、映像表示部３１と映像表示部３１の外周を囲む表示ユニット３０の外装部材３２とで構成されており、ヒンジ装置４０を介して、カメラボディ１１に対して上下開閉方向に回動可能に支持されている。ヒンジ装置４０は、カメラボディ１１の背面外装部材２０との間にゴム材等の弾性部材５１、５２をはさみ、段ビス６１、６２によってカメラボディ１１の背面外装部材２０と締結されている。
【００１７】
図７はヒンジ装置４０の分解斜視図を示す。ヒンジ装置４０は、カメラボディ１１の背面外装部材２０と段ビス６１、６２で締結されるヒンジベース４１、４２と、表示ユニット３０の背面に位置する金属プレート４４と、ヒンジベース４１、４２と金属プレート４４とを連結させるヒンジアーム４３と、ヒンジアーム４３を付勢する皿バネ４５ａ、４５ｂ、４５ｃ、４５ｄと、ヒンジベース４１、４２とヒンジアーム４３と金属プレート４４と皿バネ４５ａ、４５ｂ、４５ｃ、４５ｄのそれぞれの軸穴に挿通するシャフト４６ａ、４６ｂ、４６ｃ、４６ｄとを備えている。
【００１８】
一対のシャフト４６ａ、４６ｂは、一対の皿バネ４５ａ、４５ｂの貫通穴とヒンジアーム４３の貫通穴４３ｅ、４３ｆと金属プレート４４の貫通穴４４ｃと４４ｄにそれぞれ挿通し、シャフト４６ａ、４６ｂをかしめることでシャフト４６ａ、４６ｂと皿バネ４５ａ、４５ｂとヒンジアーム４３と金属プレート４４とが回動可能に連結されている。
【００１９】
同様に、一対のシャフト４６ｃ、４６ｄは一対の皿バネ４５ｃ、４５ｄの貫通穴とヒンジアーム４３の貫通穴４３ｅ、４３ｆとヒンジベース４１の貫通穴４１ｂ、ヒンジベース４２の貫通穴４２ｂにそれぞれ挿通し、シャフト４６ｃ、４６ｄをかしめることでシャフト４６ｃ、４６ｄと皿バネ４５ｃ、４５ｄとヒンジアーム４３とヒンジベース４１、４２とが回動可能に連結されている。
【００２０】
一対のシャフト４６ｃ、４６ｄを回転軸とするヒンジ機構を第一ヒンジと呼ぶこととし、一対のシャフト４６ａ、４６ｂを回転軸とするヒンジ機構を第二ヒンジと呼ぶことにする。
【００２１】
図１（ａ）はカメラボディ１１の背面外装部材２０と第二の状態の表示ユニット３０と表示ユニット３０の支持構成部のみを抽出した背面図であり、図１（ｂ）は図１（ａ）のＢ−Ｂ線の断面図である。ヒンジアーム４３は、図７に示すように、貫通穴４３ｃ、４３ｄ周りに曲げ加工で形成されたストッパー４３ａ、４３ｂを有している。表示ユニット３０が第一の状態にあるときからヒンジ装置４０の第一ヒンジが回転すると、図１（ｂ）に示すように、ヒンジアーム４３のストッパー４３ａ、４３ｂがヒンジベース４１、４２の凸形状４１ａ、４２ａと当接し、第一ヒンジの回転を規制し、表示ユニット３０を第二の状態に固定する。
【００２２】
図９（ａ）はカメラボディ１１の背面外装部材２０と第三の状態の表示ユニット３０と表示ユニット３０の支持構成部のみを抽出した背面図であり、図９（ｂ）は図９（ａ）のＣ−Ｃ線の断面図である。金属プレート４４は図７に示すように、貫通穴４４ｃ、４４ｄ周りに曲げ加工で形成されたストッパー４４ａ、４４ｂを有している。表示ユニット３０が第二の状態にあるときから、ヒンジ装置４０の第二ヒンジが回転すると、第一ヒンジの回転はヒンジアーム４３のストッパー４３ａ、４３ｂで規制されたままヒンジ装置４０の第二ヒンジが回転し、金属プレート４４のストッパー４４ａ、４４ｂがヒンジアーム４３の凹形状４３ｇ、４３ｈに当接することでヒンジ装置４０の第二ヒンジの回転を規制し、表示ユニット３０を第三の状態に固定する。
【００２３】
本実施形態では、ヒンジアーム４３のストッパー４３ａ、４３ｂにより、第一ヒンジの回転角度を４５°、金属プレート４４のストッパー４４ａ、４４ｂにより第二ヒンジの回転角度を１３５°に規制したが、これに限らず、ストッパー４３ａ、４３ｂ、４４ａ、４４ｂの形状およびストッパーを受ける４１ａ、４２ａ、４３ｇ、４３ｈの形状を変更することによって規制するヒンジの回転角度を変更することができる。
【００２４】
図８（ａ）はカメラボディ１１の背面外装部材２０と第一の状態の表示ユニット３０と表示ユニット３０の支持構成部のみを抽出した背面図であり、図８（ｂ）は図８（ａ）のＡ−Ａ線の断面図である。カメラボディ１１の背面外装部材２０は、カメラボディ１１の底面より上側、かつカメラボディ１１の背面外装部材２０の表示ユニット３０に対向している面より外側、かつ第一の状態にある表示ユニット３０の外装部材３２下面３２ａより下側に囲まれた空間にリブ２０ａを有している。
【００２５】
図１０（ａ）はカメラボディ１１の背面外装部材２０と第二の状態からさらに開方向に荷重が付加されたときの表示ユニット３０と表示ユニット３０の支持構成部のみを抽出した背面図であり、図１０（ｂ）は図１０（ａ）のＤ−Ｄ線の断面図である。表示ユニット３０の外装部材３２下面３２ａは、図１（ｂ）に示すように表示ユニット３０が第一の状態にあるとき、リブ２０ａと非接触である。表示ユニット３０が第二の状態においてさらに開方向に荷重が付加されると、図１０（ｂ）に示すように、カメラボディ１１の背面外装部材２０とヒンジ装置４０とにはさまれた弾性部材５１、５２がつぶれて段ビス６１、６２を中心にヒンジ装置４０および表示ユニット３０が回転し、表示ユニット３０の外装部材３２下面３２ａとカメラボディ１１の背面外装部材２０に設けられたリブ２０ａの間にあった称呼の隙間がなくなり、表示ユニット３０の外装部材３２下面３２ｂはリブ２０ａと当接する。
【００２６】
これにより、表示ユニット３０が第二の状態からさらに開方向への回動を規制するとともに、カメラボディ１１の背面外装部材２０のビス締結部周り２０ｂとヒンジアーム４３のストッパー４３ａ、４３ｂに付加されていた荷重が分散されて、カメラボディ１１の背面外装部材２０のビス締結部周り２０ｂとヒンジアーム４３のストッパー４３ａ、４３ｂの塑性変形を防ぐことができる。その結果、第一の状態と第二の状態における表示ユニット３０のがたつきを小さくすることや、カメラボディ１１の背面外装部材２０のビス締結部周り２０ｂの破断を防ぐことができる。
【００２７】
金属プレート４４は表示ユニット３０の背面に位置し、
表示ユニット３０が第二の状態においてさらに開方向に荷重が付加されるときに表示ユニット３０の外装部材３２下面３２ａとリブ２０ａとが当接する箇所において、金属プレート４４は、図１０（ｂ）に示すように、表示ユニット３０の外装部材３２下面３２ａに内接するように曲げ加工を施されている。曲げ加工により成型された金属プレートの立ち曲げ部４４ｇにおいて表示ユニット３０の外装部材３２下面３２ａと金属プレート４４が不図示のビスで締結され、表示ユニット３０の外装部材３２下面３２ａとリブ２０ａとが当接する箇所を金属プレートの立ち曲げ部４４ｇが内側から補強している。
【００２８】
これにより、第二の状態の表示ユニット３０がさらに開方向に荷重が付加されたときに、金属プレートの立ち曲げ部４４ｇが表示ユニット３０の外装部材３２下面３２ａの塑性変形を防ぐことができる。
【００２９】
表示ユニット３０が第一の状態から第二の状態を経て第三の状態まで回動するとき、表示ユニット３０の外装部材３２下面３２ａは、カメラボディ１１の底面より上側を常に通るのでカメラボディ１１が不図示の三脚に取り付けられたときでも撮影者の所望の角度に表示ユニット３０を回動させることができる。
【００３０】
以上、本発明の好ましい実施形態について説明したが、本発明はこれらの実施形態に限定されず、その要旨の範囲内で種々の変形及び変更が可能である。
【００３１】
たとえば、ヒンジベース４１、４２は、カメラボディ１１の背面外装部材２０に段ビス６１、６２で締結されているが、カメラボディ１１の背面外装部材２０が樹脂製で強度に懸念がある場合には、カメラボディ１１の背面外装部材２０に内接する金属製の補強プレートを設けて、ヒンジ装置４０を金属製の補強プレートと段ビス６１、６２で締結させてもよい。
【００３２】
また、弾性部材５１、５２を用いず、カメラボディ１１の背面外装部材２０とヒンジベース４１、４２を直接段ビス６１、６２で締結し、表示ユニット２０とヒンジ装置４０の弾性変形を用いて、表示ユニット３０の外装部材３２下面３２ａがリブ２０ａと当接するようにしてもよい。
【符号の説明】
【００３３】
１０  カメラ
１１  カメラボディ
２０  カメラボディの背面外装部材
２０ａ  カメラボディの背面外装部材に設けられたリブ
２０ｂ  カメラボディの背面外装部材の段ビス締結部周り
３０  表示ユニット
３１  表示ユニットの映像表示部
３２  表示ユニットの外装部材
４０  ヒンジ装置
４１  ヒンジベース（右）
４２  ヒンジベース（左）
４３  ヒンジアーム
４４  金属プレート
４５ａ  第二ヒンジの皿バネ（右）
４５ｂ  第二ヒンジの皿バネ（左）
４５ｃ  第一ヒンジの皿バネ（右）
４５ｄ  第一ヒンジの皿バネ（左）
４６ａ  第二ヒンジのシャフト（右）
４６ｂ  第二ヒンジのシャフト（左）
４６ｃ  第一ヒンジのシャフト（右）
４６ｄ  第一ヒンジのシャフト（左）
５１  弾性部材（右）
５２  弾性部材（左）
６１  段ビス（右）
６２  段ビス（左）
【図１】
2014215342.tif 000003
【図２】
2014215342.tif 000004
【図３】
2014215342.tif 000005
【図４】
2014215342.tif 000006
【図５】
2014215342.tif 000007
【図６】
2014215342.tif 000008
【図７】
2014215342.tif 000009
【図８】
2014215342.tif 000010
【図９】
2014215342.tif 000011
【図１０】
2014215342.tif 000012